(57)【要約】  【課題】  音を発するドーム体の外傷や腐食、操作レバーの変形等の不具合が生じにくく、装飾性の高い自転車用ベルを提供する。  【解決手段】  音を発生する金属製の被打鈴体としてのドーム体３０と、当該ドーム体３０を連続的に叩打するハンマー体２７および当該ハンマー体２７を中間歯車（８５）を介して回転駆動する歯列８０を形成したラック１３を有した打鈴機構２５と、押圧部８１を形成した押圧部材４６と、前記押圧部８１を出没可能に挿通させる開口８２を有した蓋体６５と、前記押圧部材４６およびドーム体３０および打鈴機構２５を設けた基台２とを有し、前記押圧部材４６は、前記押圧部８１が前記蓋体６５の開口８２を介して突出する方向に付勢された状態で上下動可能に支持され、前記押圧部材４６と前記ラック１３との間には、前記押圧部材４６の上下動を前記ラック１３に形成した歯列８０の往復動に変換する変換手段８４が設けられている。【選択図】        図１
2006232026.tif 000002
【特許請求の範囲】
【請求項１】
叩打されることによって音を発生する金属製の被打鈴体と、
前記被打鈴体を回転によって連続的に叩打するハンマー体および当該ハンマー体を直接若しくは中間歯車を介して間接的に回転駆動する歯列を形成したラックを有した打鈴機構と、
手、指によって押圧可能な押圧部を形成した押圧手段と、
前記押圧手段の押圧部を出没可能に挿通させる開口を上部中央に有した蓋体と、
前記蓋体との結合によって内部に収容空間を形成し、当該収容空間内に前記押圧手段、被打鈴体および打鈴機構を設けた基台とを有し、
前記押圧手段は、前記押圧部が前記蓋体の開口を介して突出する方向に付勢された状態で上下動可能に支持されており、
前記押圧手段と前記ラックとの間には、前記押圧手段の上下動を前記ラックに形成した歯列の往復動に変換する変換手段が設けられていることを特徴とする自転車用ベル。
【請求項２】
前記変換手段は、前記押圧手段に設けられた突片と前記ラックに設けられた突片によって構成されており、前記各突片の先部にはそれぞれ傾斜面が形成されるとともに、各突片は各傾斜面が互いに対向して摺接するように配置されていることを特徴とする請求項１記載の自転車用ベル。
【請求項３】
叩打されることによって音を発生する金属製の被打鈴体と、
前記被打鈴体を回転によって連続的に叩打するハンマー体と
手、指によって押圧可能な押圧部を形成した押圧手段と、
前記押圧手段の押圧部を出没可能に挿通させる開口を上部中央に有した蓋体と、
前記蓋体との結合によって内部に収容空間を形成し、当該収容空間内に前記押圧手段、被打鈴体および打鈴機構を設けた基台とを有し、
前記押圧手段は、前記押圧部が前記蓋体の開口を介して突出する方向に付勢された状態で上下動可能に支持されており、
前記押圧手段と前記ハンマー体との間には、前記押圧手段の上下動を前記ハンマー体の回動運動に変換する変換手段が設けられていることを特徴とする自転車用ベル。
【発明の詳細な説明】
【技術分野】
【０００１】
本願発明は自転車のハンドルに取り付ける自転車用ベルに関するものである。
【背景技術】
【０００２】
従来の自転車用ベルとして、打鈴機構を収容した略皿形状の基部と、この上部に設けられたドーム体で構成され、打鈴機構と係合する回動可能な操作レバーを基部より突出させた一般的なものが知られている。
また、振り子と、当該振り子を揺動可能に支持する台座と、当該台座の上部に前記振り子を覆うように設けられた蓋と、当該蓋の上部に前記振り子を揺動可能となるように設けた押しボタンを有する自転車用ベル（特許文献１）が知られている。
【特許文献１】実用新案第３０１８７１２号公報
【発明の開示】
【発明が解決しようとする課題】
【０００３】
前記各自転車用ベルは、ドーム体および操作レバーが共に外観上露出した構造になっているため、自転車が転倒した場合などには、音を発するドーム体に傷が付いたり、操作レバーに変形を生じる恐れがあった。例えば、ドーム体に傷が付いたときには、その傷から生じた錆が広がったり、変形によってベルの音色が悪くなったり、また、ドーム体や操作レバーが変形したときには、当該変形した部分が操作レバーの回動を妨げベルを鳴らすことができなくなる場合があった。
また、前記各自転車用ベルのドーム体は専ら素材として鉄が用いられ、当該鉄製のドーム体が外部に露出した構造となっている。このため雨が降った時には、ドーム体に直接水滴が付着してしまうため、腐食し易く、この腐食によって音色が悪くなったり外観上の美観を損なう恐れがあった。
また、特許文献１に記載の自転車用ベルは、一度の押しボタンの押圧操作により、振り子が蓋を一度だけ叩くものであるから、前記一般的な自転車用ベルのように一度の押圧操作で連続して鳴らすことができないものである。
【課題を解決するための手段】
【０００４】
本願発明は前記課題に鑑み、請求項１記載の自転車用ベルは以下の手段を有する。すなわち、
叩打されることによって音を発生する金属製の被打鈴体としてのドーム体３０と、
前記被打鈴体（３０）を回転によって連続的に叩打するハンマー体２７および当該ハンマー体２７を直接若しくは中間歯車（８５）を介して間接的に回転駆動する歯列８０を形成したラック１３を有した打鈴機構２５と、
手、指によって押圧可能な押圧部８１を形成した押圧手段としての押圧部材４６と、
前記押圧手段（４６）の押圧部８１を出没可能に挿通させる開口８２を上部中央に有した蓋体６５と、
前記蓋体６５との結合によって内部に収容空間８３を形成し、当該収容空間８３内に前記押圧手段（４６）、被打鈴体（３０）および打鈴機構２５を設けた基台２とを有し、
前記押圧手段（４６）は、前記押圧部８１が前記蓋体６５の開口８２を介して突出する方向に付勢された状態で上下動可能に支持されており、
前記押圧手段（４６）と前記ラック１３との間には、前記押圧手段（４６）の上下動を前記ラック１３に形成した歯列８０の往復動に変換する変換手段８４が設けられている。
【０００５】
また、請求項２記載の自転車用ベルは以下の手段を有する。すなわち、請求項１記載の自転車用ベルであって、
前記変換手段８４は、前記押圧手段（４６）に設けられた突片である摺動片５１と前記ラックに設けられた突片であるレバー１７によって構成されており、前記各突片（５１，１７）の先部にはそれぞれ傾斜面（５２，１８）が形成されるとともに、各突片（５１，１７）は各傾斜面（５２，１８）が互いに対向して摺接するように配置されている。
【０００６】
また、請求項３記載の自転車用ベルは以下の手段を有する。すなわち、
叩打されることによって音を発生する金属製の被打鈴体としてのドーム体３０と、
前記被打鈴体を回転によって連続的に叩打するハンマー体２７と
手、指によって押圧可能な押圧部８１を形成した押圧手段としての押圧部材４６と、
前記押圧手段（４６）の押圧部８１を出没可能に挿通させる開口８２を上部中央に有した蓋体６５と、
前記蓋体６５との結合によって内部に収容空間８３を形成し、当該収容空間８３内に前記押圧手段（４６）、被打鈴体（３０）および打鈴機構２５を設けた基台２とを有し、
前記押圧手段（４６）は、前記押圧部８１が前記蓋体６５の開口８２を介して突出する方向に付勢された状態で上下動可能に支持されており、
前記押圧手段と前記ハンマー体２７との間には、前記押圧手段（４６）の上下動を前記ハンマー体２７の回動運動に変換する変換手段８４が設けられていることを特徴とする自転車用ベル。
【発明の効果】
【０００７】
本願発明に係る自転車用ベルは、叩打による振動によって音を発するドーム体は、基部および押圧部材等によって外観上覆われた構造となっているため、自転車の転倒時等においても外傷を受けたり変形するといった不具合が生じにくい。また、外部から水がかかった場合においても、金属の表面に対する水の付着を防止し、ドーム体の腐食防止に効果がある。
また、従来の自転車用ベルのようにドーム体を叩打するための操作レバーが外側に突出していないため、当該操作レバーが破損することが無く、これにより音の発生が妨げられることがないという効果を有している。
さらに、当該自転車用ベルの外観を構成する押圧部材や蓋体等は合成樹脂で形成されており、種々の形状への加工や着色が可能となっているので、動物やテレビ、ゲーム等に登場するキャラクターなどを具象化したデザインを容易に形成することができる。これにより、装飾性の高い自転車用ベルが形成しやすいという効果を有している。
【発明を実施するための最良の形態】
【０００８】
本願発明に係る自転車用ベルについて、図１乃至５により詳細に説明する。図１は、本願発明に係る自転車用ベルの分解斜視図である。図２は、本願発明に係る自転車用ベルの側面断面図である。図３は、本願発明に係る自転車用ベルの操作状態を示す側面断面図である。図４は、本願発明に係る自転車用ベルの内部構造を示すための斜視図である。図５は、本願発明に係る自転車用ベルの操作状態における内部構造を示すための斜視図である。
【０００９】
図１乃至５において、１は本実施の形態に係る自転車用ベルを表している。自転車用ベル１は、主な構成として自転車のハンドル等への取り付けに使用する取付手段８を裏面に設けた基台２と、当該基台２に取り付けられた打鈴機構２５、当該打鈴機構２５による叩打によって音を発生する被打鈴体としてのドーム体３０、当該ドーム体３０の上方に配置され押圧によって前記打鈴機構２５を駆動する押圧手段４６、当該押圧手段を表出させた状態で基台２の上部を覆う蓋体６５を有している。
基台２は、円形の底壁の周囲に筒状の外壁３を設けた有底筒状の合成樹脂製の略椀形状に形成された部材である。外周径は約６０ｍｍ、外壁３の高さは約１５〜２０ｍｍに形成されている。当該外壁３の上端面には、外周に沿って略同間隔で複数の切欠き１２が形成
されている。
基台２内側の底壁中央には、上方に向かって円柱状の支持軸５が突設されており、当該支持軸５の近くには、さらに２本の円柱状の軸６、７が突設されている。また、基台２の外壁３の内周面９には、上下に貫通する孔１０を内部に形成した円筒状の膨出部である３つの挿通部１１、１１、１１が略等間隔に一体的に形成されている。当該挿通部１１、１１、１１に形成された孔１０、１０、１０は、基台２の外壁３の上端付近に開口の一端を有し、基台２の裏面側に開口の他端を有している。
さらに、基台２の裏面には、当該基台２を自転車のハンドルに取り付けるための取付手段８が設けられている。当該取付手段８は、ハンドルを構成するパイプを挿通させる孔を有し、当該孔に挿通させたパイプを締め付けることにより、ハンドルに対して固定するようになっているものである。
【００１０】
前記基台２の底壁中央に立設した支持軸５の上部には、取付部材３９を介して被打鈴体としてのドーム体３０が取り付けられている。ドーム体３０は、基台２の内径よりも若干小径に形成された球面状の外周壁を有する金属製の椀状体である。当該ドーム体３０は、椀を伏せるように開口面を下向きにした状態で取り付けられている。ドーム体３０の頭頂部には取付孔３３が設けられており、当該取付孔３３を用いて前記取付部材３９を取り付け、当該取付部材３９を支持軸５の上部に取り付けることにより、ドーム体３０は取付部材３９介して支持軸５に取り付けられている。
取付部材３９は、下端に前記支持軸５の上端と嵌合する孔を設けた円筒部３７と、円筒部３７の上端に設けたの円形フランジ状の円形板３６を形成した軟質合成樹脂製の部材である。円筒部３７の外周には、長手方向に沿ってスリ割り状の切欠き溝が設けられており、前記支持軸５を嵌挿させる際に、弾性により内径が拡張するようになっている。また、円筒部３７の外周には、筒状の締付リング３５が嵌め付けられており、円筒部３７に嵌挿した支持軸５との結合が容易に解除されないように、円筒部３７の外周を弾性によって締め付けるようになっている。
【００１１】
基台２の底面とドーム体３０の内周面で囲まれる空間には、打鈴機構２５が設けられている。打鈴機構２５は、ハンマー体２７と、円弧状に配列した歯列８０を設けた扇形形状のラック１３と、当該ラック１３の歯列８０と噛合するピニオン２２および前記ハンマー体２７に設けたピニオン２６と噛合する平歯車２１を同軸に一体的に設けた歯車体（中間歯車）８５とから構成されている。
ハンマー体２７は、ドーム体３０の内径よりも若干短いアーム２８を有し、当該アーム２８の両端に平座金状の打鈴リング２９を遊度をもって取付けたものである。ハンマー体２７の中央にはピニオン２６が突設されており、当該ピニオン２６とともに支持軸５に回動可能に支持されている。ハンマー体２７は、前記ピニオン２６に対して作用する回転駆動力によって支持軸５を中心に回転するようになっている。
前記扇形形状のラック１３は、歯列８０の円弧の中心となる位置に回転中心となる孔８６を有し、当該孔８６を前記軸６に挿通して支持させることによって、軸６を中心に回動するようになっている。前記歯列８０から前記孔８６に亘る扇型に形成された板面２０には長孔１５が設けられている。当該長孔１５は支持軸５との緩衝を防ぐ逃げとしての切欠きであり、支持軸５を挿通させることによりラック１３の往復回動を妨げないようになっている。
前記ピニオン２２と平歯車２１を同軸に一体的に設けた歯車体８５は、軸７に対して回動可能に取り付けられている。当該歯車体８５のピニオン２２は、前述のようにラック１３の歯列と噛合し、平歯車２１はハンマー体２７に設けたピニオン２６と噛合するようになっている。
前記構成により、扇形のラック１３の往復回動に伴ってハンマー体２７も回動し、ハンマー体２７の両端に設けた打鈴リング２９がドーム体３０内周の突出部８７と複数回接触して、ドーム体３０が音を発するようになっている。
【００１２】
また、板面２０には両端に引っかけ用の棒状端を有するねじりバネにより構成した復帰スプリング６０の一端を掛止する突起６６が設けられており、ラック１３は前記復帰スプリング６０の弾性によって一方向に付勢されている。復帰スプリング６０の他端は、基台２の内周と当接するとともに当該内周面上に突出した突起６１によって脱落が防止されるようになっている。当該突起６１は、ラック１３と一体的に設けた突片であるレバー１７が当接してラック１３を初期位置に停止させるための部材でもあり、常態においてレバー１７は前記復帰スプリング６０による押圧によって突起６１に押し付けられている。
レバー１７は、回動中心となる軸６を挟んで円弧状の歯列８０の反対側となる部分に、上方に向かって突出するように設けられている。レバー１７の上端面はラックの回動面に対して下方へ向かって傾斜する傾斜面１８となっている。
【００１３】
前記ドーム体３０は、取付孔３３（図２参照）を通して上方から取付ボス３６を差込み、下側から締付リング３５を装着し、円形板３６と締付リング３５を装着することにより、円形板３６と締付リング５５で挟持するようにして一体的に組み立てられる。
前記のように組立てた後に、前記基台２の支持軸５上に取付ボス３４が打ち込まれることにより、支持軸５を介してドーム体３０が基台２に対して固定される。このとき、締付リング３５によって取付ボス３４が外側への拡がりを規制し、確実に固定できる。
【００１４】
前記ドーム体３０上部の円形板３６の上には、ドーム体３０の外径よりも若干小径の円板３８が設けられ、その中心において支持軸５の上端にねじ込まれるビス４０により固定されている。
この円板３８の上面４１には、３つの円柱状の突起４３、４３、４３（図２参照）がビス４０を中心とする同心円上に等間隔で配置されている。また、各突起４３、４３、４３の中心には、当該各突起および円板３８を表裏貫通する孔４２、４２、４２が設けられている。また、各突起４３、４３、４３には、突起４３の外径より若干大きい内径を有し、突起４３よりも高さのあるコイルスプリング４４、４４、４４が遊嵌されている。
【００１５】
前記円板３８の上部には、略椀形状をなす押圧部材４６が開口部６３（図２参照）を下方に向けて配置されている。押圧部材４６は、下端外周に突出したフランジ部４９を有し、このフランジ部４９には、一部を切り欠いて形成した５つのガイド溝５０ａ〜５０ｅが設けられている。これらのガイド溝５０ａ〜５０ｅは、後述する蓋体６５のガイド突条７０ａ〜７０ｅと僅かな隙間を有した状態で係合するように形成されている。また、押圧部材４６のフランジ部４９から上の部分は、頭頂部が平面若しくはやや球面状に形成された円形の押圧部８１となっている。当該押圧部８１の外径は約４５ｍｍ程度であり、指や手によって押圧することができる大きさになっている。
また、押圧部材４６の内面４７（図２参照）には、略円柱状の３つの突起４８、４８、４８が一体的に形成されている。各突起４８、４８、４８は、図３のように前記円板３８に設けた突起４３の孔４２の内径より小さい外径を有し、それぞれが孔４２、４２、４２へ挿通されるように配置されている。また、各突起４８、４８、４８は、図３のように押圧部材４６が下方へ押圧された場合でもドーム体３０と当接することのないような高さに形成されている。
押圧部材４６は、前記３つのコイルスプリング４４、４４、４４によって、偏りが無いように上方に付勢され、フランジ部４９と前記蓋体６５の中央の円形の開口縁に設けた抜止部５４とが当接し押圧部材４６が抜け出るのを防止している。
また、押圧部材４６には、フランジ部４９の下面より下方へ突出する突片である摺動片５１が設けられている。この摺動片５１の下端には、図４のように、前記レバー１７の傾斜面１８と摺接する傾斜面５２が、傾斜面１８と対向するように設けられている。
【００１６】
前記押圧部材４６の周囲には、押圧部材４６の上面を表出させた状態で覆う略椀状若し
くは略円筒状の蓋体６５が配置されている。蓋体６５は、前記基台２に取り付けられるもので、内周壁５３内には膨出するように設けられた円筒状の３つの取付部５６、５６、５６が前述した基台２の各挿通部１１、１１、１１と対向する位置に一体的に設けられている。蓋体６５の上面中央には、円形の開口８２が形成されている。
基台２と蓋体６５は、基台２の裏面から挿通部１１、１１、１１の各孔１０、１０、１０を介して挿通された３つのビス６４、６４、６４と取付部５６、５６、５６との螺合ににより結合されるようになっている。また、蓋体６５の内周壁５３には、前記摺動体４６の上下動をガイドする突条である複数のガイド突条７０ａ〜７０ｅが、押圧部材４６の外周部と摺接するように設けられている。このうち、ガイド突条７０ｄ、７０ｅは、後述する押圧部材４６の摺動片５１を遊嵌するように配置されている。
また、蓋体６５の開口８２周縁より垂下した円形の内周壁の下端が前記抜止部５４となっており、当該部分が押圧部材４６のフランジ部４９上面と当接することにより、押圧部材４６が上方から抜け出るのを防止するようになっている。
【００１７】
次に、自転車用ベル１の作用について説明する。前記した自転車用ベル１は、前述した構造を採用することにより、押圧部材４６の押圧によって打鈴機構２５を駆動し、ハンマー体２７の回動によってドーム体３０を連続的に叩打し、連続的な打鈴音を発生することができるようになっている。
自転車用ベル１は、基台２裏面の取付手段８によって自転車のハンドルバーに固定されるようになっている。当該状態で押圧部材４６を上方より押圧すると、押圧部材４６はコイルスプリング４４に抗して蓋体６５内に沈み込むように降下する。押圧部材４６は、蓋体６５から表出した上部が、蓋体６５内に隠れる程度にまで降下することができるようになっている。なお、この際、押圧部材４６は、ガイド溝５０ａ〜５０ｈと蓋体６５内の取付部５６、ガイド突条７０ａ〜７０ｅとの係合により、上下動のみが許容され回動しないようになっている。
【００１８】
また、前述のように、押圧部材４６の摺動片５１に設けた傾斜面５２は、ラック１３のレバー１７に設けた傾斜面１８と対向する位置に配置されている。したがって、押圧部材４６の降下に伴って摺動片５１がラック１３に向かって移動すると、摺動片５１に設けた傾斜面５２がレバー１７に設けた傾斜面１８と摺接しながら降下し、同時にラック１３を回動させる方向にレバー１７が押圧される。当該レバー１７に対する押圧によってラック１３が軸６を中心に回動するようになっている。
そして、ラック１３が回動すると、同ラック１３と噛合するピニオン２２およびこれと一体の歯車２１が回転し、同歯車２１に噛合するピニオン２６と一体のハンマー体２５が回動し、アーム２８先端の打鈴リング２９の回転によりドーム体３０が叩かれ、音響を発生させるようになっている。
さらに、降下した押圧部材４６が上昇する際には、摺動片５１の上昇に伴ってレバー１７が初期位置に復帰することが可能となり、レバー１７の初期位置への復帰に伴ってラック１３が回動しハンマー体２５を回転させドーム体３０を叩打するようになっている。このように、押圧部材４６の降下と上昇に伴ってラック１３の歯列８０を往復動させ、当該歯列８０の往復動によってハンマー体２５も正転、反転をくり返しながらドーム体３０を叩打し、連続的な叩打音を発生させることが出来るようになっている。
【００１９】
以上のように、本実施の形態に係る自転車用ベル１は、従来一般の自転車用ベルに採用されているような横に突出した回動レバー等の突起物を有していないという特徴を有する。したがって、外観上極端に突出する部分が無いために、転倒等による破損の可能性を軽減することができる。しかも、回動レバーを有していないにもかかわらず、押圧部材４６の降下、上昇の双方において連続的なドーム体３０の叩打を行い、連続音を発生させることができるようになっている。
また、打鈴機構２５とドーム体３０は、合成樹脂による基台２、蓋体６５、押圧部材４
６によって覆われている。したがって、形状や色彩等の組み合わせが容易であり、デザイン上の拡張性に優れるという性質を有している。特に、押圧部材４６の上面に任意の具象物を形成し、蓋体６５の上部から視認可能にすることで装飾性を高めることができる。
また、基台２と蓋体６５の間に複数の切欠き１２によって内外に連通する開口が形成されており、打鈴機構２５によるドーム体３０の音響は、切欠き１２を通して外部へ伝わるようになっている。このように、切欠き１２によって音響の伝わりを良くすることができるようになっている。
【００２０】
なお、前述した実施の形態では、押圧部材４６の上下動をハンマー体２５の回転運動に変換する手段として、カムのように作用する押圧部材４６とレバー１７を用いた構造を採用したが、他の構造を採用しても構わない。
すなわち、押圧部材４６若しくはレバー１７の一方に傾斜面、他方に当該傾斜面と接する球面を設けた部材等を用いてもよい。
また、前述したラック１３は、円弧状に配列した歯列を設け、回動することによって歯車体８５（ハンマー体２５）を回転させるように構成した。しかし、当該扇型形状のラックに換えて、直線状に配列した歯列を有するラック体を用いて当該ラック体によってハンマー体２５を回動させるように構成してもよい。なお、この際には当該ラック体の往復動に対応して、摺動片５１、レバー１７の形状および配置が適宜変更することになる。
また、押圧部材４６の上下動をハンマー体２５の回転運動に変換する手段としては種々の形態が考えられ、前述した摺動片５１、レバー１７により構成した変換手段以外の手段を用いても良い。
【図面の簡単な説明】
【００２１】
【図１】本願発明に係る自転車用ベルの分解斜視図
【図２】本願発明に係る自転車用ベルの側面断面図
【図３】本願発明に係る自転車用ベルの操作状態を示す側面断面図
【図４】本願発明に係る自転車用ベルの内部構造を示すための斜視図
【図５】本願発明に係る自転車用ベルの操作状態における内部構造を示すための斜視図
【符号の説明】
【００２２】
１  自転車用ベル
２  基台
３  外壁
５  支持軸
６  軸
７  軸
８  取付手段
９  内周面
１０  孔
１１  挿通部
１２  切欠き
１３  ラック
１５  長孔
１７  レバー
１８  傾斜面
２０  上面
２１  歯車
２２  ピニオン
２５  打鈴機構
２６  ピニオン
２７  ハンマー体
２８  アーム
２９  打鈴リング
３０  ドーム体
３３  取付孔
３４  取付ボス
３５  締付リング
３６  円形板
３７  円筒部
３８  円板
３９  取付部材
４０  ビス
４１  上面
４２  孔
４３  突起
４４  コイルスプリング
４６  押圧部材
４７  内面
４８  突起
５０ａ、５０ｂ、５０ｃ、５０ｄ、５０ｅ、５０ｆ、５０ｇ、５０ｈ  ガイド溝
５１  摺動片
５２  傾斜面
５３  内周壁
５４  抜止部
５６  取付部
６０  復帰スプリング
６１  突起
６２  切欠き
６３  開口部
６４  ビス
６５  蓋体
６６  突起
７０ａ、７０ｂ、７０ｃ、７０ｄ、７０ｅ  ガイド突条
８０  歯列
８１  押圧部
８２  開口
８５  歯車体
【図１】
2006232026.tif 000003
【図２】
2006232026.tif 000004
【図３】
2006232026.tif 000005
【図４】
2006232026.tif 000006
【図５】
2006232026.tif 000007